(57)【要約】【課題】自動切替モードが選択されている状態で映像を手動で切り替えるための切替キーが操作された場合に適切に状態を遷移させる。【解決手段】受信トランスポートストリームは固定受信機向け放送のビデオストリーム及びオーディオストリームと、携帯受信機向け放送のビデオストリーム及びオーディオストリームに分離され、それぞれデコードされる。自動切替モードでは、受信状態に応じて固定受信機向け放送の映像音声提示と携帯受信機向け放送の映像音声提示とを自動的に切り替える。自動切替モードの選択状態で映像切替キーが押下された場合は、固定受信機向け放送の映像音声提示と、携帯受信機向け放送の映像音声提示と、前記自動切替モードで選択されている放送の映像音声提示と、が前記映像切替キーの操作繰り返しによって順繰りに選択される。【選択図】図３
2008011255.tif 000002
【特許請求の範囲】
【請求項１】
地上ディジタル放送を受信してトランスポートストリームを出力するチューナと、前記トランスポートストリームからパケットを分離するデマルチプレクサと、前記パケットをデコードするデコーダと、前記デコードにより得られた映像音声データに基づいて映像音声を提示する映像音声提示部と、を備えており、
放送受信品質に応じて固定受信機向け放送の映像音声提示と非固定受信機向け放送の映像音声提示とを自動的に切り替える自動切替モードを有しており、
前記自動切替モードが選ばれていない場合、手動で操作される切替キーが操作されると、固定受信機向け放送の映像音声提示と、非固定受信機向け放送の映像音声提示と、が前記切替キーの操作繰り返しによって交互に選択される一方、
前記自動切替モードが選ばれている場合、手動で操作される切替キーが操作されると、固定受信機向け放送の映像音声提示と、非固定受信機向け放送の映像音声提示と、前記自動切替モードで選択されている放送の映像音声提示と、が前記切替キーの操作繰り返しによって順繰りに選択されることを特徴とする地上ディジタル放送受信装置。
【請求項２】
請求項１に記載の地上ディジタル放送受信装置において、前記デコーダは、前記トランスポートストリームから分離された固定受信機向け放送の映像パケットをデコードする第１映像デコーダと、同一トランスポートストリームから分離された非固定受信機向け放送の映像パケットをデコードする第２映像デコーダと、を備えて成ることを特徴とする地上ディジタル放送受信装置。
【請求項３】
請求項１又は請求項２に記載の地上ディジタル放送受信装置において、固定受信機向け放送の受信品質及び非固定受信機向け放送の受信品質の両方を判定し、選択映像又は他方の映像の受信品質に関する情報を表示することを特徴とする地上ディジタル放送受信装置。
【発明の詳細な説明】
【技術分野】
【０００１】
この発明は、地上ディジタル放送を受信する地上ディジタル放送受信装置に関する。
【背景技術】
【０００２】
地上ディジタル放送を受信する受信装置は、受信電波からトランスポートストリーム（ＴＳ）を復調するチューナを備え、前記トランスポートストリームからパケットを分離し、前記パケットをデコーダがデコードすることで映像音声を出力する。そして、地上ディジタル放送では、１３セグメントのうちの一つを携帯受信機用に用い、この１つのセグメントにて独自サービスを送出するとともに（ワンセグ放送：携帯受信機向け放送）、１２セグメントを固定受信機向けのサービス提供に用いるとする運用が可能である（特許文献１参照）。
【特許文献１】特開２００５−２７７８７３号公報
【発明の開示】
【発明が解決しようとする課題】
【０００３】
前記ワンセグ放送では、映像はＨ．２６４によってエンコードされており、固定受信機向け放送では、映像はＭＰＥＧ２でエンコードされている。放送受信装置のデコーダは、ディジタルシグナルプロセッサ（ＤＳＰ）から成り、当該デコーダにロードするマイクロコードを変更することで、Ｈ．２６４デコーダ又はＭＰＥＧ２デコーダとして機能する。
【０００４】
ところで、ワンセグ放送は強階層で且つ固定受信機向け放送は弱階層であることが多く、固定受信機向け放送が見られなくてもワンセグ放送は見られることがある。そこで、放送の受信状態（受信品質）に応じて固定受信機向け放送の映像音声提示とワンセグ放送の映像音声提示とを自動的に切り替える自動切替モードを備えることが考えられるが、この自動切替モードと、手動で映像を切り替えるための切替キーの操作に基づく状態選択が適切でないと、ユーザにとって不所望な状態が選択されるおそれがある。
【０００５】
この発明は、上記の事情に鑑み、自動切替モードが選択されている状態で映像を手動で切り替えるための切替キーが操作された場合に適切に状態を遷移させることができる地上ディジタル放送受信装置を提供することを目的とする。
【課題を解決するための手段】
【０００６】
この発明の地上ディジタル放送受信装置は、上記の課題を解決するために、地上ディジタル放送を受信してトランスポートストリームを出力するチューナと、前記トランスポートストリームからパケットを分離するデマルチプレクサと、前記パケットをデコードするデコーダと、前記デコードにより得られた映像音声データに基づいて映像音声を提示する映像音声提示部と、を備えており、放送受信品質に応じて固定受信機向け放送の映像音声提示と非固定受信機向け放送の映像音声提示とを自動的に切り替える自動切替モードを有しており、前記自動切替モードが選ばれていない場合、手動で操作される切替キーが操作されると、固定受信機向け放送の映像音声提示と、非固定受信機向け放送の映像音声提示と、が前記切替キーの操作繰り返しによって交互に選択される一方、前記自動切替モードが選ばれている場合、手動で操作される切替キーが操作されると、固定受信機向け放送の映像音声提示と、非固定受信機向け放送の映像音声提示と、前記自動切替モードで選択されている放送の映像音声提示と、が前記切替キーの操作繰り返しによって順繰りに選択されることを特徴とする。
【０００７】
上記の構成であれば、前記自動切替モードが選ばれている場合、手動で操作される切替キーが操作されると、固定受信機向け放送の映像音声提示と、非固定受信機向け放送の映像音声提示と、前記自動切替モードで選択されている放送の映像音声提示と、が前記切替キーの操作繰り返しによって順繰りに選択されるので、自動切替モードが選択されている状態で映像を手動で切り替えるための切替キーが操作された場合において、適切に状態を遷移させることができる。
【０００８】
上記構成の地上ディジタル放送受信装置において、前記デコーダは、前記トランスポートストリームから分離された固定受信機向け放送の映像パケットをデコードする第１映像デコーダと、同一トランスポートストリームから分離された非固定受信機向け放送の映像パケットをデコードする第２映像デコーダと、を備えて成っていてもよい。かかる構成であれば、前記第１映像デコーダと第２映像デコーダの両方から出力される映像データのうちから一方の映像データを選択することとしており、映像切替時には他方の映像のデコードは済んでいるので、固定受信機向け放送の映像提示と携帯受信機向け放送の映像提示との切り替えに際して映像表示が一瞬途切れるという事態を防止することができる。
【０００９】
これら構成の地上ディジタル放送受信装置において、固定受信機向け放送の受信品質及び非固定受信機向け放送の受信品質の両方を判定し、選択映像又は他方の映像の受信品質に関する情報を表示することとしてもよい。
【発明の効果】
【００１０】
この発明によれば、自動切替モードが選択されている状態で映像を手動で切り替えるための切替キーが操作された場合に適切に状態を遷移させることができるという効果を奏する。
【発明を実施するための最良の形態】
【００１１】
以下、この発明の実施形態の車載型の地上ディジタル放送受信装置を図１乃至図４に基づいて説明する。
【００１２】
地上ディジタル放送受信装置３０におけるアンテナは、地上放送局から送られてくるディジタル放送信号を受信する。地上ディジタルチューナ１は、映像音声データを含む高周波ディジタル変調信号のうちから特定周波数の信号を取り出す。また、チューナ１は、ＯＦＤＭ（直交周波数多重方式）復調回路、逆インタリーブ回路、誤り訂正回路などを備えることにより、選択したディジタル変調信号を復調してトランスポートストリーム（ＴＳ）を出力する。なお、電波受信状況が悪いとき、前記誤り訂正回路でのパケット訂正が不能（受信エラー或いはパケット欠落）となることが生じ、その監視結果であるエラーレート（パケット欠落率）はチューナ１からマイクロコンピュータ１３に通知される。この実施形態では、いわゆるワンセグ放送用（携帯受信機向け放送）の１セグメントと他の１２セグメント（固定受信機向け放送）との各々について（各々の階層について）パケットエラーを監視しており、それぞれについてのエラーレートをマイクロコンピュータ１３に通知している。
【００１３】
ＤＥＭＵＸ（デマルチプレクサ）２は、前記チューナ１から出力されたトランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム及びオーディオストリームと、Ｈ．２６４のビデオストリーム及びオーディオストリームに分離する。そして、ＭＰＥＧ２のビデオストリームを映像デコーダ（ＭＰＥＧ２用）３に供給し、Ｈ．２６４のビデオストリームを映像デコーダ（Ｈ．２６４用）４に供給する。音声デコーダ５には選択されたサービスのオーディオストリームが入力される。音声デコーダ５は、例えば、携帯受信機向け放送と固定受信機向け放送の両者に対する上位デコーダとなっている。また、デマルチプレクサ２はトランスポートストリームから分離したＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）をマイクロコンピュータ１３に供給する。ＰＳＩ／ＳＩは、携帯受信機向け放送に存在するものと、固定受信機向け放送に存在するものとがあり、マイクロコンピュータ１３はそれぞれのＰＳＩ／ＳＩから抽出したＥＰＧ情報などをメモリ１４に格納する。
【００１４】
映像デコーダ３，４からそれぞれ出力される映像データは、選択部６に供給される。選択部６は、マイクロコンピュータ１３によって制御され、ユーザによる手動操作又は前記エラーレート（受信品質）に基づく自動選択によって一方の映像データを選択する。
【００１５】
選択された映像データは、映像処理部７に供給される。また、音声デコーダ５から出力される音声データは、音声処理部８に出力される。映像処理部７は、選択された映像データを受け取ってＤ／Ａ変換等を行い、映像信号を生成する。なお、映像処理部７はスケーラ機能を備え、携帯受信機向け放送の映像を拡大処理し、固定受信機向け放送の映像と同様に画面全体に携帯受信機向け放送の映像を表示させることができる。また、映像処理部７はＯＳＤ（オンスクリーンディスプレイ機能）を有し、マイクロコンピュータ１３から出力指示された文字情報や画像情報に基づく映像を前記映像データに重畳する。音声処理部８は、音声デコーダ５から出力された音声データを受け取って音声データを生成する。
【００１６】
映像信号を受け取ったドライバ９はディスプレイ（例えば、液晶表示パネル等）１０を駆動する。音声データはＤ／Ａ変換アンプ１１を経てアナログ信号に変換されてスピーカ１２に入力される。
【００１７】
メモリ（ＲＡＭ、ＥＥＰＲＯＭ、フラッシュメモリ、ＲＯＭ等）１４には、各種プログラムやデータなどが格納される。地上ディジタル放送受信装置３０の電源ＯＮ時に、マイクロコンピュータ１３は、ＲＯＭに格納されているプログラムやデータをＲＡＭに展開し、ＲＡＭ上のプログラムを実行する。操作部１５のキーを操作すると、そのキーに対応した指令を意味する信号がマイクロコンピュータ１３に供給される。
【００１８】
マイクロコンピュータ１３は、操作部１５に設けられている映像切替キーの押下を検出すると、現在選択している映像ではない方の映像を選択するよう選択部６に指令を与える。すなわち、固定受信機向け放送の映像を提示している状態で前記映像切替キーが押下されると、携帯受信機向け放送の映像の提示に切り替わり、携帯受信機向け放送の映像を提示している状態で前記映像切替キーが押下されると、固定受信機向け放送の映像の提示に切り替わる。
【００１９】
また、ユーザは、例えばメニュー画面上で自動切替モードを選択することができる。マイクロコンピュータ１３は、前記自動切替モードが選択されているときには、前記エラーレートに基づいて映像選択処理を行う。例えば、固定受信機用パケットのエラーレートが所定のレベル以下のときには前記選択部６に映像デコーダ３が出力する映像データを選択させ、前記エラーレートが所定のレベルを超えたときには前記選択部６に前記映像デコーダ４が出力する映像データを選択させる。放送受信品質の判断においては、前記パケットのエラーレートに替えて、電波の受信電界強度、ビットエラーレート、ブロックノイズの発生状況などの情報を用いることとしてもよい。携帯受信機向け放送は強階層で且つ固定受信機向け放送は弱階層であることが多く、固定受信機向け放送が見られなくても携帯受信機向け放送は見られることがある。
【００２０】
そして、上記自動切替モードが選択されている状態で前記映像切替キーが押下された場合にも、映像切替を行うこととしている。その詳細については、後で述べることとする。
【００２１】
地上ディジタル放送受信装置３０において、テレビＯＮ当初には例えばラストチャンネルが選択される。また、テレビＯＮ時において、ユーザはＥＰＧ画面上で所望のサービスを選択したり、チャンネルＵＰ／ＤＯＷＮキーで所望のサービスを選択することができる。マイクロコンピュータ１３は、選択されたサービスの取得のためにトランスポートストリームの変更（放送局の変更）が生じた場合には、チューナ１に対して周波数設定処理を行い、固定受信機向け放送のＰＳＩ／ＳＩ及び携帯受信機向け放送のＰＳＩ／ＳＩを取得することになる。
【００２２】
マイクロコンピュータ１３は、選択されたサービスが固定受信機向けサービスであれば、前記ＰＳＩ／ＳＩ中のＰＭＴ（program map table ）等に基づいて、トランスポートストリーム内の固定受信機向け放送の選択された１サービスのパケットを取得するとともに、同トランスポートストリーム内の携帯受信機向け放送の所定の１サービスのパケットを取得する。一方、選択されたサービスが携帯受信機向けサービスであれば、前記ＰＳＩ／ＳＩ中のＰＭＴ等に基づいて、トランスポートストリーム内の携帯受信機向け放送の選択された１サービスのパケットを取得するとともに、同トランスポートストリーム内の固定受信機向け放送の所定の１サービスのパケットを取得する。
【００２３】
そして、それぞれの映像パケットを第１，第２映像デコーダ３，４でそれぞれデコードし、選択されたサービスの映像を提示するとともに、選択されたサービスの音声パケットを音声デコーダ５でデコードし、音声出力を行う。
【００２４】
次に、図２に基づき、自動切替モードにおけるサービス選択の変遷の一例を示す。なお、説明の便宜上、一つのトランスポートストリーム内に、固定受信機向け放送として、「０２１」，「０２２」，「０２３」の３つのサービス（チャンネル）が存在し、携帯受信機向け放送として、「６２１」，「６２２」の２つのサービス（チャンネル）が存在すると仮定する。
【００２５】
（１）ユーザが「０２１」を選択したことでトランスポートストリームの変更が生じたときには、受信装置３０は、「０２１」のサービスを構成しているパケットを取得してデコードを行い、その映像音声の提示を行う。携帯受信機向け放送については、例えばデフォルトでチャンネル番号が最も小さい「６２１」のサービスを構成している映像パケットを取得してデコードする。
【００２６】
（２）上記の（１）の状態で電波受信状態が悪化すると、受信装置３０は、「０２１」のサービスの映像パケット取得及びそのデコードを継続しつつも、提示する映像音声を「６２１」のサービスに基づく映像音声に切り替える。
【００２７】
（３）上記の（２）の状態でチャンネルＵＰの操作がなされると、受信装置３０は、「０２１」のサービスの映像パケット取得及びそのデコードを継続しつつも、携帯受信機向け放送については、「６２２」のサービスを構成しているパケットを取得し、提示する映像音声を「６２２」のサービスに基づく映像音声に切り替える。
【００２８】
（４）上記の（３）の状態で電波受信状態が良好になると、受信装置３０は、「６２２」のサービスの映像パケット取得及びそのデコードを継続しつつも、提示する映像音声を「０２１」のサービスに基づく映像音声に切り替える。
【００２９】
（５）上記の（４）の状態でチャンネルＵＰの操作がなされると、受信装置３０は、「６２２」のサービスの映像パケット取得及びそのデコードを継続しつつも、固定受信機向け放送については、「０２２」のサービスを構成しているパケットを取得し、提示する映像音声を「０２２」のサービスに基づく映像音声に切り替える。
【００３０】
（６）上記の（５）の状態で電波受信状態が悪化すると、受信装置３０は、「０２２」のサービスの映像パケット取得及びそのデコードを継続しつつも、提示する映像音声を「６２２」のサービスに基づく映像音声に切り替える。
【００３１】
（７）上記の（６）の状態でチャンネルＵＰの操作がなされると、受信装置３０は、別のトランスポートストリーム（別の放送局）の取得処理を行うことになる。受信装置３０は、例えば、デフォルトで固定受信機向け放送のチャンネル番号が最も小さいサービスの映像音声を提示する一方で、携帯受信機向け放送については、例えばデフォルトでチャンネル番号が最も小さいサービスを構成している映像パケットを取得してデコードしておく。
【００３２】
次に、上述した自動切替モードの選択状態で映像切替キーが押下された場合の処理について説明してく。なお、自動切替モードが選択されていない状態で映像切替キーが押下された場合は、図４に示すように、固定受信機向け放送の映像音声提示と、携帯受信機向け放送の映像音声提示と、が前記映像切替キーの操作繰り返しによって交互に選択される。
【００３３】
自動切替モードの選択状態で映像切替キーが押下された場合は、図３に示すように、固定受信機向け放送の映像音声提示と、携帯受信機向け放送の映像音声提示と、前記自動切替モードで選択されている放送の映像音声提示と、が前記映像切替キーの操作繰り返しによって順繰りに選択される。なお、図３及び図４では、説明の簡単化のため、一つのトランスポートストリーム内に、固定受信機向け放送として、「０８１」の１つのサービス（チャンネル）が存在し、携帯受信機向け放送として、「６８１」の１つのサービス（チャンネル）が存在すると仮定している。なお、固定受信機向け放送の映像音声提示→携帯受信機向け放送の映像音声提示→前記自動切替モードで選択されている放送の映像音声提示→固定受信機向け放送の映像音声提示の順でもよいし、携帯受信機向け放送の映像音声提示→固定受信機向け放送の映像音声提示→前記自動切替モードで選択されている放送の映像音声提示→携帯受信機向け放送の映像音声提示の順でもよい。
【００３４】
上記の切替処理によれば、自動切替モードが選択されている場合の映像切替キーの押下により、固定受信機向け放送と携帯受信機向け放送の交互切替ではなく、自動切替モードを経由して順繰りに切り替わるから、固定受信機向け放送から携帯受信機向け放送、或いは、携帯受信機向け放送から固定受信機向け放送へ直ぐに切り替わらない場合が生じる。このため、自動切替モードであっても、映像切替キーが押下されたときには、自動切替モードが解除されたことにしてしまうという思想を採用することも考えられ、これであれば、図４に示した動作と同様に、一方の放送から他方の放送に直ぐに切り替わることができる。しかしながら、これでは、自動切替モードを経由して順繰りに切り替わることができなくなってしまう。本願においては、一方の放送から他方の放送に直ぐに切り替わることができないものの、自動切替モードを選択したユーザの意志を尊重し、自動切替モードを経由して順繰りに切り替わるので、この方がユーザにとって望ましい映像切替が行われると考える。
【００３５】
なお、手動による映像切替に際して、例えば、携帯受信機向け放送の映像提示状態から固定受信機向け放送の映像提示に切り替わるときに、この固定受信機向け放送の受信状況が良くない場合（エラーレートが所定のレベルを超えた場合）に、「受信できない可能性があります。よろしいですか。ＹＥＳ  ＮＯ」といったメッセージ表示を行い、ユーザがＹＥＳを選んだときに映像を切り替えることとしてもよい。
【００３６】
また、固定受信機向け放送の映像提示状態において、自身（固定）の電波受信状況（エラーレート等）或いは他方（携帯）の電波受信状況（エラーレート等）をピクトグラフなどで画面表示することとしてもよいし、携帯受信機向け放送の映像提示状態において、自身（携帯）の電波受信状況（エラーレート等）或いは他方（固定）の電波受信状況（エラーレート等）をピクトグラフなどで画面表示することとしてもよい。
【００３７】
また、上述した例では、二つの映像デコーダ３，４を備えたが、必ずしも二つの映像デコーダを備える必要はない。ディジタルシグナルプロセッサ（ＤＳＰ）から成る一つのデコーダを備え、当該デコーダにロードするマイクロコードを変更することで、Ｈ．２６４デコーダ又はＭＰＥＧ２デコーダとして機能させることとしてもよい。また、車載型の地上ディジタル放送受信装置を示したが、カーナビゲーション付きの装置とすることもできる。また、ポータブル型の地上ディジタル放送受信装置とすることもできる。
【図面の簡単な説明】
【００３８】
【図１】この発明の実施形態の地上ディジタル放送受信装置を示したブロック図である。
【図２】この発明の実施形態のチャンネル遷移（自動切替モード）の説明図である。
【図３】この発明の実施形態のチャンネル遷移（自動切替モードを経由して切替）の説明図である。
【図４】この発明の実施形態のチャンネル遷移（非自動切替モード）の説明図である。
【符号の説明】
【００３９】
１    チューナ
２    デマルチプレク
３    映像デコーダ（ＭＰＥＧ２用）
４    映像デコーダ（Ｈ．２６４用）
５    音声デコーダ
１３  マイクロコンピュータ
【図１】
2008011255.tif 000003
【図２】
2008011255.tif 000004
【図３】
2008011255.tif 000005
【図４】
2008011255.tif 000006